(57)【要約】【課題】表面処理を施した魚釣用リールのスプールに関し、特に側部の外観を低下させることのない魚釣用リールのスプールを提供する。【解決手段】本発明は、リール本体に回転自在に支持したスプール軸１２を具備したスプール１０を、リール本体の一側に設けたハンドルの回転操作で巻取り駆動可能にした魚釣用リールのスプールにおいて、スプール軸１２の近傍におけるスプールの側部に、被着部材３０を装着したことを特徴とする。【選択図】図２
2007097474.tif 000002
【特許請求の範囲】
【請求項１】
リール本体に回転自在に支持したスプール軸を具備したスプールを、前記リール本体の一側に設けたハンドルの回転操作で巻取り駆動可能にした魚釣用リールのスプールにおいて、
前記スプール軸の近傍におけるスプールの側部に、被着部材が装着されていることを特徴とする魚釣用リールのスプール。
【請求項２】
前記被着部材は、耐食性を有する部材で形成されていることを特徴とする請求項１に記載の魚釣用リールのスプール。
【発明の詳細な説明】
【技術分野】
【０００１】
本発明は、リール本体の側板間に回転可能に支持されるスプールの改良に関する。
【背景技術】
【０００２】
魚釣用リールである両軸受型リールには、ハンドルの巻取り操作に伴って、釣糸を巻回保持するスプールが両側板間に回転可能に支持されている。一般的に、スプールは、軽量化が図れるように、アルミニウム合金を切削加工することで形成されており、アルマイト処理を施した後に、所望の染色封孔処理が成され、そして、スプールを回転可能に支持するためのスプール軸が挿入固着される。
【０００３】
このスプール軸は、側板間に設置される軸受によって回転可能に支持されるが、スプール軸に対するスプールのフランジ外周面に僅かな振れが生じた場合には、特許文献１に開示されているように、フランジ外周面の径方向外側に微小間隙で重合されるリール本体の環状カバーの内周面にスプールフランジの外周面が接触してしまい、スプール回転不良の不具合が生じる。
【０００４】
このような不具合を解消するために、スプールにスプール軸を挿入固着した後、スプール軸を証にしてスプール外周を切削加工するスプールの製造方法が知られている。このような製造工程で作成されたスプールは、アルマイト処理等の表面処理を行なうに際して、ステンレス鋼材で構成されるスプール軸を電解液から保護するために、スプール軸外周をマスキング（例えば、スプール軸にマスキング用のキャップを被着）する方法が一般的となっている。
【特許文献１】特開平８−２４２７３０号
【発明の開示】
【発明が解決しようとする課題】
【０００５】
図５に示すように、一般的なスプールは、釣糸が巻回される巻回胴部１０ｂ、巻回胴部１０ｂの中央部に円板状に一体化される中央連結部１０ｃ、及びスプール軸を挿入支持する筒部１０ｄを備えており、これらはアルミニウム合金やマグネシウム合金等によって一体形成されている。そして、上記したような表面処理を行なうに際して、スプール軸１２を保護すべくマスキング処理がなされる。このマスキング処理は、例えば、図５に示すように、スプールの側面から突出するスプール軸１２を完全に被覆するようにマスキングキャップ５０がスプール軸に沿って圧入被着され、更に、マスキングキャップの脱落防止や密封性確保（マスキングキャップ５０の圧入だけでは不十分）を図るために、接着剤が併用される。
【０００６】
しかしながら、実際のアルマイト処理中に接着剤が流れたり、マスキング処理の作業時における接着剤の量や塗布位置にムラが生じる等の不具合が発生することがある。そして、このような不具合が生じることで、マスキングキャップが被着されるスプール側部（ここでは中央連結部１０ｃの露出面であるスプール側面１０ａ）に、電解不良によるアルマイト被膜層が形成されない箇所が生じたり（アルマイト不良）、染色する際に色ムラが発生することがある。
【０００７】
図６に示すように、このようなアルマイト不良や色ムラ６０は、マスキングキャップ５０の押し付け部分に応じた円形状になるのではなく、不均一な形状になることが多く、この部分は、スプールを取り外したり、単体として販売する場合、ユーザから視認されることから、商品価値を考慮すると改良すべきものと考えられる。
【０００８】
本発明は、上記した問題に基づいてなされたものであり、表面処理を施した魚釣用リールのスプールに関し、特に側部における外観を低下させることのない魚釣用リールのスプールを提供することを目的とする。
【課題を解決するための手段】
【０００９】
上記した目的を達成するために、本発明に係る魚釣用リールのスプールは、リール本体に回転自在に支持したスプール軸を具備し、前記リール本体の一側に設けたハンドルの回転操作で巻取り駆動可能となっており、前記スプール軸の近傍におけるスプールの側部に、被着部材が装着されていることを特徴とする。
【００１０】
上述したように、スプールに表面処理を施した後、スプールの側部には、アルマイト不良や色ムラ等の不具合が生じることがあるが、この部分を覆うように被着部材を装着することで、そのような不具合を隠蔽することができ、外観の向上が図れるようになる。この場合、被着部材に意匠を施すことにより、外観をより向上することが可能となる。
【００１１】
この場合、被着部材が装着されるスプール軸の近傍におけるスプールの側部とは、スプール軸が挿入されているスプールの側面そのものや、スプール構造によっては、スプール軸を挿入支持する筒部の表面領域を含む概念であり、少なくとも側方から視認可能な領域が該当する。従って、前記被着部材は、視認可能となっているスプールの側面の全てを覆うような環状形状であっても良いし、外観の向上が図れるのであれば、その一部を覆うような形状であっても良い。また、被着部材は、スプールの側面のみならず、前記筒部領域の全て、又はその一部を覆うような構成であっても良い。
【００１２】
また、上記した構成において、被着部材は、耐食性を有する材料で構成しておくことが好ましい。このように被着部材を、耐食性を有する材料で構成することで、マスキングキャップを被着したことで表面処理がされなかった部分、或いはアルマイト処理ムラのある部分の耐食性の低下が防止される。
【発明の効果】
【００１３】
本発明によれば、表面処理を施した魚釣用リールのスプールに関し、特に側面領域の外観を低下させることのない構成が得られるようになる。
【発明を実施するための最良の形態】
【００１４】
以下、本発明に係る魚釣用リールの実施の形態について、図１から図４を参照して具体的に説明する。なお、これらの図において、上記した図５及び図６に示した部分と同一の構成部分については、同一の参照符号が付されている。
【００１５】
図１は、本発明に係るスプールを装着した魚釣用リール（両軸受型リール）の一構成例を示す平面図である。
【００１６】
図１に示すように、魚釣用リールのリール本体１は、左右フレーム２ａ，２ｂと、これら左右フレーム２ａ，２ｂに所定の空間をもって装着される左右側板３ａ，３ｂとを備えている。
【００１７】
前記左右フレーム２ａ，２ｂ（左右側板３ａ，３ｂ）間には、スプール１０が回転可能に支持されている。このスプール１０は、その中心部に固着されるスプール軸１２を備えており、前記スプール軸１２は、その両端部が、軸受１５ａ，１５ｂを介して、それぞれリール本体１のフレーム２ａ，２ｂに回転可能に支持されている。この場合、スプール１０は、スプール軸１２と共に、例えば、左側板３ａを左フレーム２ａから取り外した状態で軸方向に引き出すことによって、リール本体から取り外すことが可能となっている。
【００１８】
前記右フレーム２ｂ側には、突出端部にハンドル２１を装着したハンドル軸２０が配設されている。このハンドル軸２０は、右フレーム２ｂに軸受を介して回転自在に支持されていると共に、右側板との間に介在された転がり式の一方向クラッチ（図示せず）によって、釣糸巻取方向にのみ回転可能となっている。
【００１９】
前記右フレーム２ｂと右側板３ｂとの間には、前記ハンドル２１の回転運動をスプール軸１２に伝達する駆動力伝達機構と、この駆動力の伝達を継脱するクラッチ機構と、魚釣時にスプール１０から釣糸が繰り出された際、スプール１０にドラグ力を付与する制動機構が収容されている（これらの各機構については、公知技術であるため、詳細な説明は省略する）。
【００２０】
前記スプール１０は、図２に示すように、スプール軸１２と共に一体的に構成されており、上述したように、アルミニウム合金やマグネシウム合金等で一体形成されたスプール１０に、ステンレス鋼材等によって形成されたスプール軸１２を挿入固着した後、スプール軸１２を証にして、スプール外周を切削加工することで作成されている。この場合、前記スプール１０には、釣糸が巻回される巻回胴部１０ｂ、巻回胴部１０ｂの中央部に円板状に一体化される中央連結部１０ｃ、及びスプール軸１２を挿入支持する筒部１０ｄが一体形成されている。
【００２１】
そして、このような製造工程で作成されたスプール１０は、図５に示したように、アルマイト処理や着色処理等、所定の表面処理が行なわれる。この場合、スプールを表面処理するに際しては、スプール軸１２を電解液から保護するために、スプール軸１２の外周を完全に被覆するマスキング用のキャップ５０が被着され、更に、マスキングキャップ５０の脱落防止や密封性確保を図るために、マスキングキャップを被着する際に、そのスプール側面１０ａ或いはマスキングキャップの端面に接着剤が塗布される。
【００２２】
そして、スプール１０に表面処理を施してマスキングキャップ５０を取り外した後、スプール軸１２の近傍にあるスプール側面１０ａを覆うように、環状の被着部材３０が装着される。この被着部材３０は、スプール側面１０ａの全面を覆うようにしても良いし、マスキング用のキャップ５０が押し付けられる領域を中心として、色ムラ等が生じ易い、径方向に所定の範囲の領域を覆うものであっても良い。
【００２３】
被着部材３０は、少なくとも色ムラ等を隠蔽できる（外観の向上を図る）ような部材であれば、その形状についいては特に限定されることはないが、作業性等を考慮すると、環状に形成されていることが好ましい。また、被着部材の材料についても特に限定されることはないが、耐食性を有する部材、例えば、２５μｍ程度の薄肉なポリエステルフィルムや、０．１ｍｍ程度のアルミニウム製のプレート等によって構成することが好ましい。すなわち、このような耐食性のある部材で構成することにより、実釣時に水分等が付着した際、アルマイト処理が充分でない部分の腐食を効果的に防止することが可能となる。
【００２４】
また、そのような被着部材３０は、好ましくは、図に示すように、マスキング用のキャップ５０が被着されて表面処理が施されない筒部１０ｄの表面部を覆うようすることが好ましい。
【００２５】
上記したような構成のスプールによれば、アルマイト処理中に、接着剤が流れたり、作業時の接着剤の量や塗布位置にムラが生じる等の不具合が発生して、マスキングキャップが被着されるスプール側面１０ａに、電解不良によりアルマイト被膜層が形成されない箇所が生じたり（アルマイト不良）、染色する際に色ムラが発生したとしても、そのような部分が隠蔽されて、視認性の向上を図ることが可能になる。また、そのような被着部材を耐食性のある材料で構成することにより、スプールの腐食を効果的に防止することが可能となる。
【００２６】
なお、上記した被着部材３０は、例えば、図３に示すように、筒部１０ｄを覆うことなく、スプール側面１０ａのみを覆うような構成であっても良い。或いは、図４に示すように、筒部１０ｄが一方側のみに突出形成される構成のスプールでは、突出する筒部の表面を覆うような構成であっても良い。
【００２７】
上記した被着部材３０の形状は、スプールの形状、マスキングキャップの構成等に応じて適宜変形することが可能である。また、上記した被着部材３０に、適宜意匠を施しておくことにより、その外観性の更なる向上が図れ、スプールをオプションパーツとして販売する際の訴求性の向上が図れるようになる。
【図面の簡単な説明】
【００２８】
【図１】本発明に係るスプールを装着した魚釣用リール（両軸受型リール）の一構成例を示す平面図。
【図２】本発明に係る魚釣用リールのスプールの第１実施形態を示す図。
【図３】本発明に係る魚釣用リールのスプールの第２実施形態を示す図。
【図４】本発明に係る魚釣用リールのスプールの第３実施形態を示す図。
【図５】従来の魚釣用リールのスプールの表面処理方法を説明する図。
【図６】図５に示す表面処理方法によって生じる可能性のある色ムラを示す図。
【符号の説明】
【００２９】
１  リール本体
１０  スプール
１０ａ  スプール側面
１０ｂ  巻回胴部
１０ｃ  中央連結部
１０ｄ  筒部
１２  スプール軸
２１  ハンドル
３０  被着部材
【図１】
2007097474.tif 000003
【図２】
2007097474.tif 000004
【図３】
2007097474.tif 000005
【図４】
2007097474.tif 000006
【図５】
2007097474.tif 000007
【図６】
2007097474.tif 000008